(57)【特許請求の範囲】
【請求項１】
エラーを検出するためのエラー検出手段と、
エラー検出手段によりエラーが検出されたことを契機に所定のエラー処理を行って遊技の進行が不可能な状態にするためのエラー処理手段と、
エラー検出手段により前回エラーの検出が開始されたときから今回エラーの検出が開始されるときまでの時間を計測するためのエラー発生間隔計測手段と、
エラー発生間隔計測手段により計測されたエラー発生間隔が一定時間以上であるか否かの判定を行うためのエラー発生間隔判定手段と、
エラー発生間隔判定手段によりエラー発生間隔が一定時間未満であると判定されたときに、少なくとも、エラー検出手段によりエラーが検出されなくなり、かつ、所定の復帰操作が行われたことを条件に、エラー処理を終了させて遊技の進行が可能な状態に復帰させるための手動復帰手段と、
エラー発生間隔判定手段によりエラー発生間隔が一定時間以上であると判定されたときに、少なくとも、エラー検出手段によりエラーが検出されなくなったことを条件とするものの、所定の復帰操作が行われたことを条件とすることなく、エラー処理を終了させて遊技の進行が可能な状態に復帰させるための自動復帰手段と、
を備えていることを特徴とする遊技機。
【発明の詳細な説明】
【技術分野】
【０００１】
本発明は、遊技機に関し、さらに詳しくは、エラーが検出されると、エラー処理が行われて遊技進行不可能な状態になり、また、所定の条件が満たされると、エラー処理が終了して遊技進行可能な状態に復帰する遊技機に関する。
【背景技術】
【０００２】
スロットマシンなどの遊技機では、例えば、メダルセレクターにメダルが詰まるなどのエラーが発生すると、エラー処理が行われて遊技進行不可能な状態になるとともに、エラーの発生回数がカウントされる。そして、カウントされたエラー発生回数が所定回数未満（例えば４回）であれば、キャンセルボタンの操作によりメダル詰まりなどのエラーが解消されると、遊技店の店員による所定の復帰操作を要することなく、エラー処理が終了して遊技進行可能な状態に自動的に復帰するが、カウントされたエラー発生回数が所定回数（例えば５回）に達すると、たとえキャンセルボタンの操作によりメダル詰まりなどのエラーが解消されたとしても、遊技店の店員による所定の復帰操作がなければ、エラー処理が終了して遊技進行可能な状態に復帰することはないようにしていた。
【０００３】
なお、エラー状態の解除・エラー状態からの復帰に関わる先行技術として、例えば、エラー処理の開始時から所定のエラー時間を経過する前にエラー状態の解除要求を受けた場合に、所定のエラー継続時間が経過した後に、エラー状態を解除するもの（特許文献１）や、エラー報知の解除に使用するためのスイッチを複数のスイッチから少なくともひとつ選択し、選択されたスイッチがいずれであるかを報知し、選択されたスイッチが操作されたときにはエラー報知を解除し、選択されたスイッチ以外のスイッチが操作されたときにはエラー報知を解除しないようにするもの（特許文献２）などがある。
【特許文献１】特開２００６−３４５９４０号公報
【特許文献２】特開２００６−３２５７７２号公報
【発明の開示】
【発明が解決しようとする課題】
【０００４】
上述したように、従来の遊技機では、エラー発生回数が所定回数未満のときには、エラーさえ解消されれば、所定の復帰操作を要することなく、エラー処理を終了して遊技進行可能な状態に復帰させるものの、エラー発生回数が所定回数に達したときには、たとえエラーが解消されたとしても、所定の復帰操作がなければ、エラー処理を終了して遊技進行可能な状態に復帰させることはないようにしていた。これは、所定回数に達するぐらいエラーが頻発するようなときには、遊技機に何か不具合がないか、あるいは遊技機に対して何らかの不正行為が行われていないか、点検する必要があるためである。
しかしながら、エラー発生回数が所定回数に達するときにたまたまエラーに遭遇した遊技者は、遊技店の店員を呼ばなければならない事態に煩わしい思いをするし、また、所定の復帰操作に立ち会わなければならない遊技店の店員の方としても、対応に面倒な思いをすることとなっていた。
【０００５】
そこで、本発明は、エラーに遭遇した遊技者がなるべく煩わしい思いをしないようにしつつも、不正行為に対しては十分な抑止効果を発揮できるようにした遊技機を提供することを目的とする。
【課題を解決するための手段】
【０００６】
（特徴点）
各請求項にそれぞれ記載された各発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【０００７】
すなわち、請求項１記載の発明は、遊技機に係るものであって、エラーを検出するためのエラー検出手段151と、エラー検出手段151によりエラーが検出されたことを契機に所定のエラー処理を行って遊技の進行が不可能な状態にするためのエラー処理手段152と、エラー検出手段151により前回エラーの検出が開始されたときから今回エラーの検出が開始されるときまでの時間を計測するためのエラー発生間隔計測手段153と、エラー発生間隔計測手段153により計測されたエラー発生間隔が一定時間以上であるか否かの判定を行うためのエラー発生間隔判定手段154と、エラー発生間隔判定手段154によりエラー発生間隔が一定時間未満であると判定されたときに、少なくとも、エラー検出手段151によりエラーが検出されなくなり、かつ、所定の復帰操作が行われたことを条件に、エラー処理を終了させて遊技の進行が可能な状態に復帰させるための手動復帰手段155と、エラー発生間隔判定手段154によりエラー発生間隔が一定時間以上であると判定されたときに、少なくとも、エラー検出手段151によりエラーが検出されなくなったことを条件とするものの、所定の復帰操作が行われたことを条件とすることなく、エラー処理を終了させて遊技の進行が可能な状態に復帰させるための自動復帰手段156と、を備えていることを特徴とする。
【０００８】
本発明は、スロットマシン10やパロットなどの遊技機に係るものである。
ここで、「エラー検出手段151」は、エラーを検出するためのものである。
例えば、メダルセレクター31内にメダルが詰まったとする。このような場合、エラー検出手段151は、その旨をエラーとして検出する。また、メダルセレクター31内にメダルが詰まっている限りは、エラー検出手段151は、エラーを検出し続ける。そして、キャンセルボタン31kの操作によりメダル詰まりが解消されると、エラー検出手段151は、エラーを検出しなくなる。
また、例えば、メダルセレクター31内のメダル通路をメダルが逆流したとする。具体的には、メダルセレクター31内のメダルセンサー31lを下流側から上流側へ向けてメダルが横切ったとする。このような場合も、エラー検出手段151は、その旨をエラーとして検出する。また、メダルの逆流が検出されなくなれば、エラー検出手段151は、エラーを検出しなくなる。
【０００９】
なお、エラー検出手段151が検出するエラーは、メダル詰まりやメダルの逆流に限られるものではない。
また、「エラー処理手段152」は、エラー検出手段151によりエラーが検出されたことを契機に所定のエラー処理を行って遊技の進行が不可能な状態にするためのものである。
例えば、メダルセレクター31内にメダルが詰まり、エラー検出手段151がその旨をエラーとして検出したとする。そうすると、エラー処理手段152は、これを契機に、所定のエラー処理（例えば、スピーカからの警報音の発報や、演出用ランプの点滅など）を行って、遊技の進行が不可能な状態にする。
【００１０】
また、「エラー発生間隔計測手段153」は、前回エラーの検出が開始されたときから今回エラーの検出が開始されるときまでの時間を計測するためのものである。つまり、エラー発生間隔計測手段153は、エラー発生間隔を計測するためのものである。
例えば、エラー発生間隔計測手段153は、エラー検出手段151がエラーを検出する毎に一旦ゼロリセットしてから計時を開始するタイマー手段と、エラー検出手段151によりエラーが検出されたことを契機にゼロリセットする直前のタイマー手段の計時結果を読み取って記憶するラッチ手段とを備えることにより、エラー発生間隔を計測する。
なお、エラー発生間隔計測手段153は、エラーの種類を区別して、エラーの種類毎にエラー発生間隔を計測するようにしてもよく、また、エラーの種類に関わらず、一のいずれかの種類のエラーとその次に発生したいずれかの種類のエラーとのエラー発生間隔を計測するようにしてもよい。
【００１１】
また、「エラー発生間隔判定手段154」は、エラー発生間隔計測手段153により計測されたエラー発生間隔が一定時間以上であるか否かの判定を行うためのものである。
例えば、エラー検出手段151によってエラーが検出され、エラー発生間隔計測手段153によって前回のエラー検出開始から今回のエラー検出開始までの時間が計測されると、エラー発生間隔判定手段154は、エラー発生間隔計測手段153が計測したエラー発生間隔が一定時間（例えば、３０秒）以上であるか否かの判定を行う。
なお、判定の基準となる一定時間は、３０秒に限られるものではなく、それより短くてもよく、また、それより長くてもよい。
【００１２】
また、エラー発生間隔計測手段153がエラーの種類毎にエラー発生間隔を計測する場合にあっては、エラー発生間隔判定手段154は、エラーの種類毎に、エラー発生間隔の判定を行うようにすることができる。この場合、エラーの種類毎に、判定の基準となる一定時間を異ならせることができる。具体的には、例えば、エラーの種類がメダル詰まりの場合には、一定時間を３０秒とするとともに、エラーの種類がメダルの逆流の場合には、一定時間を６０秒とすることができる。
また、「手動復帰手段155」は、エラー発生間隔判定手段154によりエラー発生間隔が一定時間未満であると判定されたときに、少なくとも、エラー検出手段151によりエラーが検出されなくなり、かつ、所定の復帰操作が行われたことを条件に、エラー処理を終了させて遊技の進行が可能な状態に復帰させるためのものである。
【００１３】
ここで、手動復帰手段155は、エラー発生間隔が一定時間（例えば、３０秒）未満のときに、作動し得るものである。したがって、エラー発生間隔が一定時間（例えば、３０秒）以上のときには、手動復帰手段155は、作動しない。エラー発生間隔が一定時間（例えば、３０秒）以上のときには、自動復帰手段156が作動し得る。
また、手動復帰手段155は、少なくとも、エラー検出手段151によりエラーが検出されなくなったことと、所定の復帰操作が行われたこととを、復帰の条件とするものである。したがって、たとえエラー検出手段151によりエラーが検出されなくなったとしても、所定の復帰操作が行われなければ、手動復帰手段155は、エラー処理を終了させて遊技の進行が可能な状態に復帰させることはなく、また、たとえ所定の復帰操作が行われたとしても、エラー検出手段151によりエラーが検出されたまま（例えば、メダルセレクター31内にメダルが詰まったままであり、その旨がエラー検出手段151によってエラーとして検出されたまま）であれば、手動復帰手段155は、エラー処理を終了させて遊技の進行が可能な状態に復帰させることはない。
【００１４】
また、手動復帰手段155は、少なくとも、エラー検出手段151によりエラーが検出されなくなったことと、所定の復帰操作が行われたこととを、復帰の条件とするものである。したがって、手動復帰手段155は、エラー検出手段151によりエラーが検出されなくなったこと、および所定の復帰操作が行われたこと以外の条件を、復帰の条件として課してもよい。
また、「所定の復帰操作」としては、例えば、前扉12の施錠装置のロックを解除するためのキーをロック解除とは反対方向に回すことによるリセット操作や、電源ボックスなどに設けられているリセットスイッチを操作することによるリセット操作などがある。もちろん、これら以外の操作を所定の復帰操作としてもよく、また、複数の操作を組み合わせて所定の復帰操作としてもよい。
【００１５】
また、「自動復帰手段156」は、エラー発生間隔判定手段154によりエラー発生間隔が一定時間以上であると判定されたときに、少なくとも、エラー検出手段151によりエラーが検出されなくなったことを条件とするものの、所定の復帰操作が行われたことを条件とすることなく、エラー処理を終了させて遊技の進行が可能な状態に復帰させるためのものである。
ここで、自動復帰手段156は、エラー発生間隔が一定時間（例えば、３０秒）以上のときに、作動し得るものである。したがって、エラー発生間隔が一定時間（例えば、３０秒）未満のときには、自動復帰手段156は、作動しない。エラー発生間隔が一定時間（例えば、３０秒）未満のときには、手動復帰手段155が作動し得る。
【００１６】
また、自動復帰手段156は、少なくとも、エラー検出手段によりエラーが検出されなくなったことを、復帰の条件とするものである。したがって、エラー検出手段によりエラーが検出されたまま（例えば、メダルセレクター31内にメダルが詰まったままであり、その旨がエラー検出手段151によってエラーとして検出されたまま）であれば、自動復帰手段156は、エラー処理を終了させて遊技の進行が可能な状態に復帰させることはない。
また、自動復帰手段156は、少なくとも、エラー検出手段によりエラーが検出されなくなったことを、復帰の条件とするものである。したがって、自動復帰手段156は、エラー検出手段によりエラーが検出されなくなったこと以外の条件を、復帰の条件として課してもよい。ただし、自動復帰手段156は、所定の復帰操作が行われたことについては、復帰の条件とすることはない。
【００１７】
本発明によれば、エラー発生間隔が一定時間以上のときには、エラー発生回数にかかわらず、エラーさえ解消されれば、所定の復帰操作を要することなく、エラー処理が終了して遊技進行可能な状態に復帰するものの、エラー発生間隔が一定時間未満のときには、エラー発生回数にかかわらず、たとえエラーが解消されたとしても、所定の復帰操作がなければ、エラー処理が終了して遊技進行可能な状態に復帰することはない。
【発明の効果】
【００１８】
上述したように、本発明によれば、エラー発生間隔が一定時間以上のときには、エラーさえ解消されれば、所定の復帰操作を要することなく、エラー処理が終了して遊技進行可能な状態に復帰するものの、エラー発生間隔が一定時間未満のときには、たとえエラーが解消されたとしても、所定の復帰操作がなければ、エラー処理が終了して遊技進行可能な状態に復帰することはないことから、エラーに遭遇した遊技者がなるべく煩わしい思いをしないようにしつつも、不正行為に対しては十分な抑止効果を発揮させることができる。
【発明を実施するための最良の形態】
【００１９】
本発明の好適な実施の形態を、遊技機としてスロットマシンを例に、図面に基づき説明する。
（図面の説明）
図１ないし図７は、本発明の実施の形態を示すものである。
図１は、遊技機としてのスロットマシン10のブロック図、図２は、遊技機としてのスロットマシン10の外観正面図、図３は、遊技機としてのスロットマシン10が備えるメダルセレクター31の斜視図（Ａ）および正面図（Ｂ）、図４ないし図７は、遊技機としてのスロットマシン10の動作の概略を示すフローチャートである。
【００２０】
（スロットマシン10）
本実施の形態に係る遊技機としてのスロットマシン10は、メダルを遊技媒体として遊技を行うものであって、図２に示すように、前面に開口部を有する箱型の筐体11を備えている。また、筐体11の内部には、３個の回転リール45を横並びに設けたリールユニット40が備えられている。また、３個の回転リール45のうち、左側に設けられているのが左リール46であり、また、中央に設けられているのが中リール47であり、また、右側に設けられているのが右リール48である。また、各回転リール45の周囲には、複数種類の図柄が所定の配列で合計２１個付されている。また、筐体11の前面には、開口部を塞ぐ前扉12が備えられている。また、前扉12の上部には、上パネル13が備えられ、また、前扉12の下部には、下パネル14が備えられている。また、前扉12の前面における、上パネル13と下パネル14との間には、前方へ向けて突出する操作部16が設けられている。また、下パネル14には、当該スロットマシン10の機種名のロゴやイメージキャラクターなどが表示されている。また、上パネル13のほぼ中央には、各回転リール45の周囲に付されている２１個の図柄のうちの３個を遊技者に見せるための図柄表示窓15が設けられている。また、図柄表示窓15が設けられる位置は、各回転リール45の前方に相当する位置である。また、図柄表示窓15は、３個すべての回転リール45の回転が停止した際に、縦３列、横３行に配置した合計９個の図柄を遊技者に見せるように形成されている。つまり、３個すべての回転リール45の回転が停止した際には、遊技者は、図柄表示窓15を通して、縦３列、横３行に配置した合計９個の図柄を見ることができる。また、上パネル13における、図柄表示窓15の下側には、クレジットされているメダルの枚数を表示するためのクレジット数表示器56が設けられている。
【００２１】
また、操作部16の上面右側には、メダルを投入するためのメダル投入口36が設けられ、また、メダル投入口36の下方には、メダルセレクター31内のメダル詰まりを解消するためのキャンセルボタン31kが設けられ、また、操作部16の上面左側には、クレジットされているメダルをベットするためのベットスイッチ32が設けられ、また、操作部16の上面左端付近には、クレジットされているメダルを返却するための精算スイッチ35が設けられ、また、操作部16の前面左側には、回転リール45の回転を開始させるためのスタートスイッチ33が設けられ、また、操作部16の前面中央には、回転リール45の回転を停止させるための３個のストップスイッチ34が横並びに設けられている。
【００２２】
また、前扉12の上部には、演出に用いられる表示装置55としての演出用ランプが設けられている。また、前扉12上部の左右両側には、効果音などを鳴らすための表示装置55としてのスピーカがそれぞれ設けられている。
また、前扉12の下部中央には、メダルを払い出すためのメダル払出口37が設けられ、また、メダル払出口37の下方には、メダル払出口37から払い出されたメダルを受け止めて貯留するためのメダル受け皿38が設けられている。
また、前扉12の裏面における、メダル投入口36の下方に相当する位置には、メダル投入口36に投入されたメダルを処理するためのメダルセレクター31が備えられている。
【００２３】
また、筐体11の内部には、スロットマシン10を制御するための制御装置20や、メダルを払い出すためのホッパーユニット50や、スロットマシン10が備える各装置に電力を供給するための電源ユニットなどが備えられている。
（リールユニット40）
リールユニット40は、フレームと、このフレームに横並びに固定した３個のステッピングモータと、各ステッピングモータの出力軸に固定した３個の回転リール45とを備えている。上述したように、３個の回転リール45のうち、左側に設けられているのが左リール46であり、また、中央に設けられているのが中リール47であり、また、右側に設けられているのが右リール48である。また、各回転リール45は、それぞれ、合成樹脂からなる回転ドラムと、この回転ドラムの周囲に貼付されているテープ状のリールテープとを備えている。また、リールテープの外周面には、複数個（例えば２１個）の図柄が表示されている。
【００２４】
（スタートスイッチ33）
スタートスイッチ33は、回転リール45の回転を開始させるためのものであって、図２に示すように、操作部16の前面左側に設けられている。また、スタートスイッチ33は、レバー式のスイッチを用いて構成されており、レバーの先端を押し下げると、スタート信号が出力されて、３個すべての回転リール45の回転が開始するようになっている。
（ストップスイッチ34）
ストップスイッチ34は、回転リール45の回転を停止させるためのものであって、図２に示すように、操作部16の前面中央に設けられている。また、ストップスイッチ34は、３個設けられており、また、各ストップスイッチ34は、各回転リール45にそれぞれ対応している。また、３個のストップスイッチ34は、操作部16の前面中央に横並びに設けられている。また、左側のストップスイッチ34は、左リール46に対応し、また、中央のストップスイッチ34は、中リール47に対応し、また、右側のストップスイッチ34は、右リール48に対応している。また、各ストップスイッチ34は、それぞれ、押しボタン式のスイッチを用いて構成されており、左リール46用のストップスイッチ34が備えるボタンを押すと、左リール46用のストップ信号が出力されて、左リール46の回転が停止し、また、中リール47用のストップスイッチ34が備えるボタンを押すと、中リール47用のストップ信号が出力されて、中リール47の回転が停止し、また、右リール48用のストップスイッチ34が備えるボタンを押すと、右リール48用のストップ信号が出力されて、右リール48の回転が停止するようになっている。
【００２５】
（ベットスイッチ32）
ベットスイッチ32は、クレジットされている遊技媒体としてのメダルをベットするためのものである。
図２に示すように、本実施の形態では、ベットスイッチ32は、操作部16の上面左側に設けられている。また、ベットスイッチ32としては、シングルベットスイッチ32aと、マックスベットスイッチ32bとが備えられている。また、図２に示すように、シングルベットスイッチ32aおよびマックスベットスイッチ32bは、操作部16の上面左側に横並びに設けられている。右側に位置するのがシングルベットスイッチ32aであり、左側に位置するのがマックスベットスイッチ32bである。
【００２６】
また、シングルベットスイッチ32aは、１回の操作で最小ベット数の遊技媒体をベット可能なスイッチである。本実施の形態では、シングルベットスイッチ32aは、押しボタン式のスイッチを用いて構成されており、ボタンを１回押すと、クレジットされているメダルが１枚ベットされるようになっている。すなわち、クレジットカウンタ151の数値が１つ減算されるとともに、ベットカウンタ150の数値が１つ加算されるようになっている。
また、マックスベットスイッチ32bは、１回の操作で最大ベット数の遊技媒体をベット可能なスイッチである。本実施の形態では、マックスベットスイッチ32bは、押しボタン式のスイッチを用いて構成されており、ボタンを１回押すと、通常は、クレジットされているメダルが３枚ベットされるようになっている。すなわち、クレジットカウンタ151の数値が３つ減算されるとともに、ベットカウンタ150の数値が３つ加算されるようになっている。
【００２７】
（精算スイッチ35）
精算スイッチ35は、クレジットされているメダルを返却するためのものであって、図２に示すように、操作部16の上面左端付近に設けられている。また、精算スイッチ35は、押しボタン式のスイッチを用いて構成されており、ボタンを押すと、ホッパーユニット50の送出機構が駆動し、クレジットされているメダルと同数のメダルがメダル払出口37から払い出されるとともに、クレジットされているメダルが０になる。すなわち、クレジットカウンタ151の数値が０になる。
（メダル投入口36）
メダル投入口36は、メダルを投入するためのものであって、図２に示すように、操作部16の上面右側に設けられている。
【００２８】
（メダル払出口37）
メダル払出口37は、メダルを払い出すためのものであって、図２に示すように、前扉12の下部中央に設けられている。
（メダル受け皿38）
メダル受け皿38は、メダル払出口37から払い出されたメダルを受け止めて貯留するためのものであって、図２に示すように、メダル払出口37の下方に設けられている。
（ホッパーユニット50）
ホッパーユニット50は、メダルを払い出すためのものであって、筐体11の内部に設けられている。また、ホッパーユニット50は、メダルを貯留するためのメダルタンクと、メダルタンクに貯留されているメダルを送り出すための送出機構とを備えている。そして、送出機構によって送り出されたメダルは、メダル払出口37から払い出されるようになっている。
【００２９】
（メダルセレクター31）
メダルセレクター31は、メダル投入口36に投入されたメダルが所定の規格に適合するものか否かの選別を行うためのものであって、前扉12の裏面における、メダル投入口36の下方に相当する位置に取り付けられている。
また、図３の（Ａ）および（Ｂ）に示すように、本実施の形態では、メダルセレクター31は、ベース31aと、ベース31aの一方の面を覆うように取り付けられているカバー31bとを備えている。また、メダルセレクター31の上面には、メダル投入口36に投入されたメダルを受け入れるためのメダル受入口31cが設けられ、また、ベース31aとカバー31bとの間には、メダル受入口31cから受け入れたメダルを誘導するためのメダル通路31eが形成され、また、メダルセレクター31の側面には、メダル通路31eを通過したメダルを排出するためのメダル排出口31dが設けられている。
【００３０】
また、図３の（Ａ）および（Ｂ）に示すように、本実施の形態では、メダル通路31eは、「く」の字あるいは「Ｌ」の字のように途中で屈曲した形状に形成されており、メダル受入口31cからほぼ鉛直下方へ向かう鉛直通路31fと、鉛直通路31fの下端から緩やかに下り傾斜してメダル排出口31dまで至る傾斜通路31gとを有している。このように、メダル通路31eは、メダル受入口31cとメダル排出口31dとを連通させており、メダル受入口31cから受け入れたメダルをメダル排出口31dへ誘導するようにしている。また、傾斜通路31gの底面、天井面および一方の側面は、ベース31a側に設けられている。
また、図３の（Ａ）および（Ｂ）に示すように、本実施の形態では、カバー31bにおける、傾斜通路31gの途中に相当する位置には、メダルよりも大きく開口するキャンセル口31hが設けられている。また、キャンセル口31hの周縁部のうち下側部分は、傾斜通路31gの底面よりも上方に突出しており、傾斜通路31gを流下するメダルの下部をガイドする下側ガイドとなっている。
【００３１】
また、図３の（Ａ）および（Ｂ）に示すように、本実施の形態では、ベース31aにおける、キャンセル口31hの対向側に相当する位置には、傾斜通路31gを流下するメダルを排除するためのメダルブロッカーが設けられ、また、メダルブロッカーよりも下流側には、傾斜通路31gを流下するメダルの通過を検出するためのメダルセンサー31lが設けられている。
また、図３の（Ａ）および（Ｂ）に示すように、本実施の形態では、メダルブロッカーは、傾斜通路31gを流下するメダルの上部をガイドするためのものであって傾斜通路31gの天井面よりも下方に突出する位置と上方に退避する位置とに変位可能に形成されている上側ガイド31iと、上側ガイド31iを変位させるための電磁コイルと、傾斜通路31gを流下するメダルをキャンセル口31hから弾き出すためのものであって傾斜通路31gのベース31a側側面からキャンセル口31hへ向けて出没可能に形成されており比較的弱い力で突出方向へ常時付勢されている弾出突起31jとを備えている。
【００３２】
ここで、メダル投入可のときには、上側ガイド31iが傾斜通路31gの天井面よりも下方に突出するように、電磁コイルが作動する。この状態では、所定の規格に適合したメダルは、その下部を下側ガイドによってガイドされるとともに、その上部を上側ガイド31iによってガイドされ、さらに付勢に抗して弾出突起31jを押し退けることにより、キャンセル口31hから弾き出されることなく、傾斜通路31gを通過する。
一方、回転リール45の回転中、あるいはクレジットが最大に達しているときなど、メダル投入不可のときには、上側ガイド31iが傾斜通路31gの天井面よりも上方に退避するように、電磁コイルが作動する。この状態では、所定の規格に適合したメダルは、その下部を下側ガイドによってガイドされるものの、その上部を上側ガイド31iによってガイドされなくなることから、弾出突起31jよってキャンセル口31hから弾き出されて、傾斜通路31gから排除される。
【００３３】
また、キャンセルボタン31kを押圧すると、カバー31bがベース31aから離れる。この状態では、所定の規格に適合したメダルは、その下部を下側ガイドによってガイドされなくなり、弾出突起31jよってベース31aとカバー31bとの隙間から弾き出されて、傾斜通路31gから排除される。
また、所定の規格よりも小さい小径メダルについては、上側ガイド31iが傾斜通路31gの天井面よりも下方に突出していようが上方に退避していようが、その上部を上側ガイド31iによってガイドされることがないようにしてあり、いずれにせよ弾出突起31jよってキャンセル口31hから弾き出されて、傾斜通路31gから排除される。
【００３４】
また、所定の規格よりも大きい大径メダルについては、その上部が傾斜通路31gの天井面に接触することにより、メダルセレクター31内に詰まるようにしてある。また、この状態でキャンセルボタン31kを押圧すると、カバー31bがベース31aから離れて、詰まった大径メダルがベース31aとカバー31bとの隙間から落下する。
なお、所定の規格に適合したメダルであってもメダルセレクター31内に詰まることがあり得るが、このような場合も、キャンセルボタン31kを押圧すると、カバー31bがベース31aから離れて、詰まったメダルがベース31aとカバー31bとの隙間から落下する。
また、メダルブロッカーを通過したメダルは、メダルセンサー31lへ至る。
【００３５】
また、メダルセンサー31lは、傾斜通路31gに沿って並列に設けた２個のフォトセンサーから構成されている。上流側に設けられるのが第１フォトセンサーであり、下流側に設けられるのが第２フォトセンサーである。
また、第１フォトセンサーは、発光部と、発光部から発せられた光を受ける受光部とを備えており、発光部と受光部とで傾斜通路31gを挟むようにしている。そして、傾斜通路31gを流下するメダルが第１フォトセンサーを通過するときに、発光部から受光部への光路が遮られるようにしてあり、これにより、メダルの通過を検出するようにしている。第２フォトセンサーも同様である。
【００３６】
また、第１フォトセンサーの光路が先に遮られ、その直後に第２フォトセンサーの光路が遮られれば、メダルの進行方向は正常であるが、第２フォトセンサーの光路が先に遮られ、その直後に第１フォトセンサーの光路が遮られると、メダルの進行方向は異常である。このように、メダルセンサー31lを２個のフォトセンサーで構成することにより、メダルの通過のみならず、メダルの進行方向をも検出可能にしている。
そして、メダルセンサー31lを通過し、メダル排出口31dから排出されたメダルは、ホッパーユニット50のメダルタンクに貯留されるようになっている。
一方、キャンセル口31hから弾き出されたメダルや、ベース31aとカバー31bとの隙間から落下したメダルは、メダル払出口37を介して遊技者に返却されるようになっている。
【００３７】
（表示装置55）
本実施の形態では、表示装置55として、演出用ランプとスピーカとが備えられている。
また、演出用ランプは、遊技者に当選又は入賞などを知らせるためのものであって、図２に示すように、前扉12の上部に設けられている。
また、スピーカは、効果音などを鳴らすためのものであって、図２に示すように、前扉12上部の左右両側にそれぞれ設けられている。
（クレジット数表示器56）
クレジット数表示器56は、クレジットされているメダルの枚数を表示するためのものであって、図２に示すように、上パネル13における、図柄表示窓15の下側に設けられている。また、クレジット数表示器56は、７セグメントＬＥＤを用いて構成されている。
【００３８】
（電源ユニット）
電源ユニットは、スロットマシン10が備える各装置、具体的には、例えば、制御装置20や、リールユニット40や、ホッパーユニット50などに電力を供給するためのものである。また、電源ユニットは、筐体11の内部に備えられている。
（制御装置20）
制御装置20は、図示しないが、ＣＰＵを中心に構成され、ＲＯＭ、ＲＡＭ、Ｉ／Ｏ等を備えている。ここでＣＰＵは、１個に限定されず、２個以上のＣＰＵで制御するようにしてもよい。また、ＣＰＵ、ＲＯＭ、ＲＡＭおよびＩ／Ｏ等は一体化されてワンチップを構成してもよい。そして、ＣＰＵがＲＯＭに記憶されたプログラムを読み込むことで、次の（１）および（２）の装置を構成する。
【００３９】
（１）遊技制御装置21
（２）演出制御装置22
遊技制御装置21は、スタートスイッチ33およびストップスイッチ34の操作により、回転リール45の回転および停止を制御するためのものである。この遊技制御装置21の詳細については後述する。
演出制御装置22は、演出用ランプやスピーカ等の表示装置55を制御するためのものである。
また、本実施の形態では、制御装置20を、主制御装置（メイン基板）と、主制御装置からの信号を受信して作動する副制御装置（サブ基板）とから構成し、主制御装置を遊技制御装置21として機能させるとともに、副制御装置を演出制御装置22として機能させるようにしている。このように、遊技を司る制御装置と演出を司る制御装置を別個に構成することにより、演出制御に当てられるメモリを大幅に増やすことができるとともに、演出のみを変更することもできるようにしている。
【００４０】
（入力段）
制御装置20の入力段には、図１に示すように、次のパーツが接続されている。
（１）メダルセレクター31
（２）シングルベットスイッチ32a（32）
（３）マックスベットスイッチ32b（32）
（４）スタートスイッチ33
（５）ストップスイッチ34
（６）精算スイッチ35
なお、入力段としては、上記（１）ないし（６）のパーツに限定されるものではない。
【００４１】
（出力段）
制御装置20の出力段には、図１に示すように、次のパーツが接続されている。
（１）リールユニット40
（２）ホッパーユニット50
（３）クレジット数表示器56
（４）表示装置55（演出表示部、ランプおよびスピーカ）
なお、出力段としては、上記（１）ないし（４）のパーツに限定されるものではない。
（遊技制御装置21）
次に、遊技制御装置21について詳述する。
【００４２】
遊技制御装置21は、スタートスイッチ33およびストップスイッチ34の操作により、回転リール45の回転および停止を制御するためのものである。そして、この遊技制御装置21は、図１に示すように、次の（１）ないし（１２）の手段として機能する。
（１）遊技制御手段60
（３）役抽選手段110
（４）入賞判定手段120
（５）停止制御手段130
（６）払出制御手段140
（７）エラー検出手段151
（８）エラー処理手段152
（９）エラー発生間隔計測手段153
（１０）エラー発生間隔判定手段154
（１１）手動復帰手段155
（１２）自動復帰手段156
また、遊技制御手段60は、通常遊技制御手段70と、特別遊技制御手段80とを備えており、また、特別遊技制御手段80は、特定導入遊技制御手段90と、特定遊技制御手段100とを備えている。また、通常遊技制御手段70は、通常遊技を行わせるために通常遊技に関する制御を行うものであり、また、特別遊技制御手段80は、特別遊技を行わせるために特別遊技に関する制御を行うものである。また、特定導入遊技制御手段90は、ＢＢゲームを制御するためのものであり、また、特定遊技制御手段100は、ＲＢゲームを制御するためのものである。
【００４３】
なお、遊技制御装置21としては、上記（１）ないし（１２）の手段に限定されるものではなく、他の手段を含んでいても良い。
（遊技制御手段60）
遊技制御手段60は、ベットカウンタ150の数値が最小ベット数以上であることを条件に、スタートスイッチ33の操作を契機に、ベットカウンタ150の数値を０にして遊技を進行させるためのものである。つまり、遊技制御装置60は、最小ベット数以上のメダルのベットを条件に、スタートスイッチ33の操作を契機に、ベットされたメダルを使用して遊技を開始させるためのものである。
【００４４】
また、「最小ベット数」とは、１回の遊技につきベットが必要な遊技媒体の最小個数をいう。本実施の形態では、最小ベット数は「１」である。つまり、１回の遊技につき最小で１枚のメダルのベットが必要である。
また、「最大ベット数」とは、１回の遊技につきベットが可能な遊技媒体の最大個数をいう。本実施の形態では、最大ベット数は「３」である。つまり、１回の遊技につき最大で３枚のメダルのベットが可能である。
また、「最大クレジット数」とは、クレジットが可能な遊技媒体の最大個数をいう。本実施の形態では、最大クレジット数は「５０」である。つまり、最大で５０枚のメダルのクレジットが可能である。
【００４５】
また、「持ち越し役」とは、役抽選手段110の抽選によりひとたび当選すると、入賞するまで入賞可能な状態が持ち越される役をいう。本実施の形態では、小役よりもさらに大きな利益を遊技者に付与するビッグボーナス（ＢＢ）とレギュラーボーナス（ＲＢ）とが持ち越し役となっている。
また、遊技制御手段60は、通常遊技制御手段70と、特別遊技制御手段80とを備え、また、特別遊技制御手段80は、特定導入遊技制御手段90と、特定遊技制御手段100とを備えている。以下さらに、通常遊技制御手段70、特別遊技制御手段80、特定導入遊技制御手段90、および特定遊技制御手段100について説明する。
【００４６】
（通常遊技制御手段70）
通常遊技制御手段70は、通常遊技を行わせるためのものである。
メダルをベットすると、メダルのベット枚数に応じた本数の入賞ラインが有効になる。具体的には、１回の遊技につきベット可能なメダルの枚数は、最小で１枚、最大で３枚とされている。また、メダルのベットには、メダル投入口36からメダルを投入することによるベットと、ベットスイッチ32（シングルベットスイッチ32aまたはマックスベットスイッチ32b）を操作することによるクレジットされているメダルのベットとがある。また、「再遊技（Replay）」のときには、前回の遊技でベットした枚数と同数のメダルを獲得できるとともに、この獲得したメダルが自動的にベットされるようになっている。そして、メダルのベット枚数が１枚のときには、１本の入賞ラインが有効になり、また、メダルのベット枚数が２枚のときには、３本の入賞ラインが有効になり、また、メダルのベット枚数が３枚のときには、５本の入賞ラインが有効になる。また、メダルのベットを条件に、スタートスイッチ33を操作すると、複数の役のいずれかに当選したかまたはハズレかの抽選（役抽選）が行われる。また、役抽選とほぼ同時に、３個すべての回転リール45の回転が開始する。その後に、３個のストップスイッチ34のうちの１個を操作すると、当該ストップスイッチ34に対応した回転リール45の回転が停止する。そして、３個すべてのストップスイッチ34の操作を終えると、３個すべての回転リール45の回転が停止する。このとき、いずれかの有効な入賞ライン上に、当選した役に対応する図柄が揃うと、当該役に入賞となり、入賞態様に応じた枚数のメダルを獲得できる。また、獲得したメダルは、クレジットされ、クレジットされているメダルの枚数が所定の上限値に達しているときには、メダル払出口37から払い出される。また、メダルの獲得に代えて、あるいはメダルの獲得とともに、遊技者に対して所定の利益が付与されることもある。
【００４７】
当選には、入賞により遊技メダルの払い出しを伴い、遊技者に利益を付与する小役当選と、この小役当選よりもさらに大きな利益を遊技者に付与する特別当選と、遊技メダルの払い出しは無いが、遊技メダルを新たに投入することなく再度の遊技を行うことができる「再遊技（Replay）」とを備えている。そして、その抽選結果がいずれかの役に当選となった場合、その当選に対応した当選フラグが成立する。そして、抽選結果が特別当選である場合に、特別当選フラグが成立し、この特別当選フラグ成立中に、リールユニット40の回転リール45の停止図柄の組み合わせが、予め定められた所定の特別当選図柄（例えば、有効な入賞ライン上に「７」が３個揃うもの）と一致したことを条件に入賞し、遊技者に有利な特別遊技を行わせるように形成されている。一方、抽選により特別当選フラグが成立したが、回転リール45の停止図柄の組み合わせが特別当選図柄と一致していない場合には、それ以後の遊技に特別当選フラグ成立の権利が持ち越されるように設定されている。なお、小役の当選フラグは、当選フラグが成立した遊技で入賞させられない場合、当選フラグ成立の権利の次の遊技への持ち越しはない。
【００４８】
また、いずれかの当選フラグが成立中に、対応する当選図柄を有効な入賞ライン上に揃えることができるか否かは、回転リール45の回転速度が一定の場合、ストップスイッチ34のタイミングによるものである。具体的には、ストップスイッチ34を操作した後、１９０ｍｓ以内に回転リール45が停止するように設定されているため、ストップスイッチ34を操作した後、そのまま停止させるか、或いは１９０ｍｓ以内に停止可能な回転リール45の円周上の引き込み可能図柄、例えば停止図柄から連続する４個の引き込み可能図柄の中に、対応する当選図柄が含まれているような場合には、停止するまでの時間を遅らせて、回転リール45は有効な入賞ライン上にその当選図柄を引き込んで停止する。一方、かかる４個の引き込み可能図柄の中に、対応する当選図柄が含まれていないような場合には、有効な入賞ライン上にその当選図柄を引き込んで停止することができない。
【００４９】
（特別遊技制御手段80）
特別遊技制御手段80は、抽選手段の抽選結果に基づいて、遊技者に有利な特別遊技を行わせるためのものである。
特別遊技としては、大別すると、次のゲームがある。
（１）特定導入遊技（ＢＢゲーム）
（２）特定遊技（ＲＢゲーム）
（３）特定当選遊技（ＪＡＣゲーム）
なお、特定遊技（ＲＢゲーム）は、特定導入遊技（ＢＢゲーム）中に行われる場合と、ＢＢゲーム中でないときにも単独で行われる場合がある。また、特定当選遊技（ＪＡＣゲーム）は、ＲＢゲーム中に行われるものである。また、特別遊技としては、上記（１）ないし（３）の遊技に限定されるものではない。
【００５０】
特別遊技制御手段80は、図１に示すように、大別すると、次の手段を備える。
（１）特定導入遊技制御手段（ＢＢゲーム制御手段）90
（２）特定遊技制御手段（ＲＢゲーム制御手段）100
（特定導入遊技制御手段90）
特定導入遊技制御手段90は、ＢＢゲームを制御するためのものである。
具体的には、通常遊技において、図示しないが、例えば「７」等の図柄が有効な入賞ライン上に３個揃うと、ホッパーユニット50を介して、例えば１５枚のメダルが払い出される。このとき、ＢＢゲームが開始される。
【００５１】
ＢＢゲームに移行すると、通常遊技と同様に、最小で１枚、最大で３枚のメダルのベットによって開始され、３つの回転リールの回転を各々停止させた際に、有効な入賞ライン上に当選図柄が揃っているか否かによって、メダルの払い出しが行われるものである。
したがって、ＢＢゲーム中では、通常遊技と同様に小役を含めた抽選が毎回行われるものである。ただ、このＢＢゲーム中にＲＢゲームに移行するための特定当選図柄が有効な入賞ライン上に揃った場合には、その後ＲＢゲームに移行するものである。
なお、通常、ＢＢゲーム中はＲＢゲームへの移行が、例えば最大３回行われることになっているために、１回目のＲＢゲームが終了した後は、また前述したような通常遊技と同様な抽選および制御が行われるものである。
【００５２】
そして、ＢＢゲームは、予め設定された一定枚数のメダル払い出しの終了により、終了するものである。
（特定遊技制御手段100）
特定遊技制御手段100は、ＲＢゲームを制御するためのものである。
具体的には、ＲＢゲームに移行すると、メダルが１枚ベットとなり、回転リール45の所定の図柄が図柄表示窓15のセンターライン上に揃った場合に入賞となる特定当選遊技が行われるものである。そして、ＲＢゲームでは、入賞するか否かの特定当選遊技が最大１２回行えるものであり、そのうち、最大８回の入賞が可能である。すなわち、最大８回の入賞するか、或いは最大１２回の特定当選遊技の終了により、ＲＢゲームは終了するものである。
【００５３】
（役抽選手段110）
役抽選手段110は、予め定めた抽選確率に基づいて当選役に係わる抽選を行うものである。そして、役抽選手段110による抽選の結果、所定の当選役に当選である場合に当選フラグが成立し、この当選フラグ成立中に、回転リール45の停止図柄の組み合わせが予め定められた当選図柄と一致したことを条件に入賞し、遊技者にメダルの払い出しや、特別遊技等の利益が付与されるように設定されている。
役抽選手段110は、図１に示すように、大別すると、次の手段を備える。
（１）乱数発生手段111
（２）乱数抽出手段112
（３）当選判定テーブル113
（４）判定手段114
なお、役抽選手段110としては、上記（１）ないし（４）に限定されるものではない。
【００５４】
（乱数発生手段111）
乱数発生手段111は、当選抽選用の乱数を所定の範囲内（例えば１０進数で０〜６５５３５）で発生させるものである。
（乱数抽出手段112）
乱数抽出手段112は、乱数発生手段111が発生する乱数を、所定の条件（例えば、スタートスイッチ33の操作）で抽出するものである。なお、この抽出した乱数を抽出乱数データとする。
なおここで、「乱数発生手段」としては、ソフト乱数としての平均採中法等で乱数を発生させることができるものの他に、一定範囲の数字を高速で１づつ加算するカウンタを用いて構成することもできる。例えば、０〜１６３８３の範囲の数字を、１秒間に７００万回程度順次繰り返すようにしたカウンタが考えられる。そして、「乱数抽出手段」としては、スタートスイッチを押したタイミングでカウンタの数字を読みとることなる。
【００５５】
このように形成すると、「乱数発生手段」では乱数を発生しているわけではないものの、「乱数抽出手段」によって抽出される数字は、あたかも乱数のような分布となる。このように、結果として乱数のような分布を示す数字が得られる手段を、ここでは「乱数発生手段」あるいは「乱数抽出手段」に含めて考えるものとする。
（当選判定テーブル113）
当選判定テーブル113は、乱数発生手段111がとる乱数の全領域中、各当選項目の当選領域を有するものである。
上述したように、本実施の形態では、当選には、入賞により遊技メダルの払い出しを伴い、遊技者に利益を付与する小役当選と、この小役当選よりもさらに大きな利益を遊技者に付与する特別当選と、遊技メダルの払い出しは無いが、遊技メダルを新たに投入することなく再度の遊技を行うことができる「再遊技（Replay）」当選とがある。更に、特別当選には、特定遊技入賞（ＲＢ入賞）に係る特定遊技当選（ＲＢ当選）と、特定導入遊技入賞（ＢＢ入賞）に係る特定導入遊技当選（ＢＢ当選）とがある。
【００５６】
（判定手段114）
判定手段114は、乱数抽出手段112が抽出した抽出乱数データと、当選判定テーブル113の抽選確率データを基に、乱数発生手段111がとる乱数の全領域中の各当選項目の当選領域からなる当選判定領域データとを照合し、当該抽出乱数データが属する当選領域に対応する当選を決定するものである。
（入賞判定手段120）
入賞判定手段120は、図柄表示手段の図柄が停止表示した際における表示態様に基づいて、複数の役のいずれかに入賞したか又は入賞なしかの判定を行うためのものである。
【００５７】
本実施の形態では、入賞判定手段120は、３個すべての回転リール45の回転が停止した際に、いずれかの有効な入賞ライン上に、当選した役に対応する図柄が揃うと、当該役に入賞したと判定し、一方、いずれの有効な入賞ライン上にも、当選した役に対応する図柄が揃わないと、入賞なしと判定する。
具体的には、入賞判定手段120は、例えば、すべての回転リール45の回転が停止した際に、いずれかの有効な入賞ライン上に「７」「７」「７」の図柄が揃うと、「特定導入遊技入賞（ＢＢ入賞）」と判定する。
また、入賞判定手段120は、例えば、すべての回転リール45の回転が停止した際に、いずれかの有効な入賞ライン上に「ＢＡＲ」「ＢＡＲ」「ＢＡＲ」の図柄が揃うと、「特定遊技入賞（ＲＢ入賞）」と判定する。
【００５８】
また、入賞判定手段120は、すべての回転リール45の回転が停止した際に、いずれかの有効な入賞ライン上に「ベル」「ベル」「ベル」の図柄が揃うと、「小役入賞」と判定する。
また、入賞判定手段120は、すべての回転リール45の回転が停止した際に、いずれかの有効な入賞ライン上に「Ｒ」「Ｒ」「Ｒ」の図柄が揃うと、「再遊技（Replay）入賞」と判定する。
また、入賞判定手段120は、すべての回転リール45の回転が停止した際に、いずれの有効な入賞ライン上にも、当選した役に対応する図柄が揃わないと、「入賞なし」と判定する。
【００５９】
（停止制御手段130）
停止制御手段130は、役抽選手段110の抽選結果とストップスイッチ34の操作タイミングとに基づいて、回転リール45の停止制御を行うためのものである。
本実施の形態では、停止制御手段130は、図示しないリール回転検知センサーの検知信号に基づいて各回転リール45上の図柄の現在位置を認識しつつ、役抽選手段110の抽選結果と各ストップスイッチ34の操作タイミングとに基づいて、各回転リール45の停止を制御するためのものである。
役抽選手段110の抽選結果がハズレの場合には、停止制御手段130は、３個すべての回転リール45の回転を停止させるにあたり、いずれの有効な入賞ライン上にも、いずれの当選に対応する図柄も揃わないように、蹴飛ばし制御を行う。
【００６０】
一方、役抽選手段110の抽選結果がいずれかの役に当選の場合には、停止制御手段130は、３個すべての回転リール45の回転を停止させるにあたり、当選した役に対応する図柄が、いずれかの有効な入賞ライン上に極力揃うよに、かつ、当選した役以外の役に対応する図柄については、いずれの有効な入賞ライン上にも揃わないように、引き込み制御および蹴飛ばし制御を行う。
（払出制御手段140）
払出制御手段140は、入賞判定手段120からのメダル払い出し信号や、精算スイッチ17の操作信号に基づいて、ホッパーユニット50を作動させるためのものである。
【００６１】
（エラー検出手段151）
エラー検出手段151は、エラーを検出するためのものである。
本実施の形態では、エラー検出手段151は、メダルセレクター31内におけるメダル詰まり、およびメダルセレクター31内におけるメダルの逆流を、エラーとして検出する。
具体的には、例えば、メダルセレクター31内にメダルが詰まったとする。このような場合、エラー検出手段151は、その旨をエラーとして検出する。また、メダルセレクター31内にメダルが詰まっている限りは、エラー検出手段151は、エラーを検出し続ける。そして、キャンセルボタン31kの操作によりメダル詰まりが解消されると、エラー検出手段151は、エラーを検出しなくなる。
【００６２】
また、例えば、メダルセレクター31内のメダル通路をメダルが逆流したとする。具体的には、メダルセレクター31内のメダルセンサー31lを下流側から上流側へ向けてメダルが横切ったとする。このような場合も、エラー検出手段151は、その旨をエラーとして検出する。また、メダルの逆流が検出されなくなれば、エラー検出手段151は、エラーを検出しなくなる。上述したように、本実施の形態では、メダルセンサー31lを２個のフォトセンサーで構成することにより、メダルの通過のみならず、メダルの進行方向をも検出可能にしてあり、第２フォトセンサーの光路が先に遮られ、その直後に第１フォトセンサーの光路が遮られると、これをメダルの逆流として検出するものである。
【００６３】
なお、エラー検出手段151が検出するエラーは、メダル詰まりやメダルの逆流に限られるものではない。
（エラー処理手段152）
エラー処理手段152は、エラー検出手段151によりエラーが検出されたことを契機に、所定のエラー処理を行って、遊技の進行が不可能な状態にするためのものである。
具体的には、例えば、メダルセレクター31内にメダルが詰まり、エラー検出手段151がその旨をエラーとして検出したとする。そうすると、エラー処理手段152は、これを契機に、所定のエラー処理を行って、遊技の進行が不可能な状態にする。
【００６４】
また、本実施の形態では、エラー処理手段152は、所定のエラー処理として、スピーカ
からの警報音の発報や、演出用ランプの点滅などを行う。
（エラー発生間隔計測手段153）
エラー発生間隔計測手段153は、エラー検出手段151により前回エラーの検出が開始されたときから今回エラーの検出が開始されるときまでの時間を計測するためのものである。つまり、エラー発生間隔計測手段153は、エラー発生間隔を計測するためのものである。
本実施の形態では、エラー発生間隔計測手段153は、エラー検出手段151がエラーを検出する毎に一旦ゼロリセットしてから計時を開始するタイマー手段と、エラー検出手段151によりエラーが検出されたことを契機にゼロリセットする直前のタイマー手段の計時結果を読み取って記憶するラッチ手段とを備えている。そして、ラッチ手段に記憶されている計測結果を、前回のエラー検出開始から今回のエラー検出開始までの時間、つまり、エラー発生間隔とするものである。
【００６５】
（エラー発生間隔判定手段154）
エラー発生間隔判定手段154は、エラー発生間隔計測手段153により計測されたエラー発生間隔が一定時間以上であるか否かの判定を行うためのものである。
具体的には、例えば、エラー検出手段151によってエラーが検出され、エラー発生間隔計測手段153によって前回のエラー検出開始から今回のエラー検出開始までの時間が計測されると、エラー発生間隔判定手段154は、エラー発生間隔計測手段153が計測したエラー発生間隔が一定時間（例えば、３０秒）以上であるか否かの判定を行う。
また、本実施の形態では、エラー発生間隔判定手段154は、エラー発生間隔計測手段153が備えるラッチ手段に記憶されている計測結果が、一定時間（例えば、３０秒）以上であるか否かの判定を行うものである。
【００６６】
なお、判定の基準となる一定時間は、３０秒に限られるものではなく、それより短くてもよく、また、それより長くてもよい。
（手動復帰手段155）
手動復帰手段155は、エラー発生間隔判定手段154によりエラー発生間隔が一定時間未満であると判定されたときに、少なくとも、エラー検出手段151によりエラーが検出されなくなり、かつ、所定の復帰操作が行われたことを条件に、エラー処理を終了させて遊技の進行が可能な状態に復帰させるためのものである。
ここで、手動復帰手段155は、エラー発生間隔が一定時間（例えば、３０秒）未満のときに、作動し得るものである。したがって、エラー発生間隔が一定時間（例えば、３０秒）以上のときには、手動復帰手段155は、作動しない。エラー発生間隔が一定時間（例えば、３０秒）以上のときには、自動復帰手段156が作動し得る。
【００６７】
また、手動復帰手段155は、少なくとも、エラー検出手段151によりエラーが検出されなくなったことと、所定の復帰操作が行われたこととを、復帰の条件とするものである。したがって、たとえエラー検出手段151によりエラーが検出されなくなったとしても、所定の復帰操作が行われなければ、手動復帰手段155は、エラー処理を終了させて遊技の進行が可能な状態に復帰させることはなく、また、たとえ所定の復帰操作が行われたとしても、エラー検出手段151によりエラーが検出されたまま（例えば、メダルセレクター31内にメダルが詰まったままであり、その旨がエラー検出手段151によってエラーとして検出されたまま）であれば、手動復帰手段155は、エラー処理を終了させて遊技の進行が可能な状態に復帰させることはない。
【００６８】
また、手動復帰手段155は、少なくとも、エラー検出手段151によりエラーが検出されなくなったことと、所定の復帰操作が行われたこととを、復帰の条件とするものである。したがって、手動復帰手段155は、エラー検出手段151によりエラーが検出されなくなったこと、および所定の復帰操作が行われたこと以外の条件を、復帰の条件として課してもよい。
またここで、本実施の形態では、手動復帰手段155は、エラー検出手段151によりエラーが検出されなくなったことと、所定の復帰操作が行われたこととの２つを、復帰の条件としており、これら２つ以外には、復帰の条件を課していない。
【００６９】
そして、本実施の形態では、エラー発生間隔判定手段154によりエラー発生間隔が一定時間未満であると判定されたときには、エラー検出手段151によりエラーが検出されなくなり、かつ、所定の復帰操作が行われさえすれば、手動復帰手段155は、エラー処理を終了させて遊技の進行が可能な状態に復帰させる。
また、本実施の形態では、前扉12の施錠装置のロックを解除するためのキーをロック解除とは反対方向に回すことによるリセット操作を、所定の復帰操作としている。
なお、電源ボックスなどに設けられているリセットスイッチを操作することによるリセット操作を、所定の復帰操作としてもよく、また、複数の操作を組み合わせて、所定の復帰操作としてもよい。
【００７０】
（自動復帰手段156）
自動復帰手段156は、エラー発生間隔判定手段154によりエラー発生間隔が一定時間以上であると判定されたときに、少なくとも、エラー検出手段151によりエラーが検出されなくなったことを条件とするものの、所定の復帰操作が行われたことを条件とすることなく、エラー処理を終了させて遊技の進行が可能な状態に復帰させるためのものである。
ここで、自動復帰手段156は、エラー発生間隔が一定時間（例えば、３０秒）以上のときに、作動し得るものである。したがって、エラー発生間隔が一定時間（例えば、３０秒）未満のときには、自動復帰手段156は、作動しない。エラー発生間隔が一定時間（例えば、３０秒）未満のときには、手動復帰手段155が作動し得る。
【００７１】
また、自動復帰手段156は、少なくとも、エラー検出手段によりエラーが検出されなくなったことを、復帰の条件とするものである。したがって、エラー検出手段によりエラーが検出されたまま（例えば、メダルセレクター31内にメダルが詰まったままであり、その旨がエラー検出手段151によってエラーとして検出されたまま）であれば、自動復帰手段156は、エラー処理を終了させて遊技の進行が可能な状態に復帰させることはない。
また、自動復帰手段156は、少なくとも、エラー検出手段によりエラーが検出されなくなったことを、復帰の条件とするものである。したがって、自動復帰手段156は、エラー検出手段によりエラーが検出されなくなったこと以外の条件を、復帰の条件として課してもよい。ただし、自動復帰手段156は、所定の復帰操作が行われたことについては、復帰の条件とすることはない。
【００７２】
またここで、本実施の形態では、自動復帰手段156は、エラー検出手段151によりエラーが検出されなくなったことのみを、復帰の条件としており、これ以外には、復帰の条件を課していない。
そして、本実施の形態では、エラー発生間隔判定手段154によりエラー発生間隔が一定時間以上であると判定されたときには、エラー検出手段151によりエラーが検出されなくなりさえすれば、自動復帰手段156は、エラー処理を終了させて遊技の進行が可能な状態に復帰させる。
（演出制御装置22）
演出制御装置22は、演出用ランプやスピーカ等の表示装置55、およびリール照明19を制御するためのものである。また、演出制御装置22は、遊技制御装置21からの信号を受信して作動するものである。
【００７３】
（スロットマシン10の動作）
次に、上記構成を備えたスロットマシンの動作の概略について、図４ないし図７に示したフローチャートを用いて説明する。
先ず、図４に示すステップ１００において、スタートスイッチ33が操作されることにより、スタートスイッチ33がＯＮとなる。そして、次のステップ１０１に進む。
ステップ１０１において、役抽選手段110により抽選処理が行われる。そして、次のステップ１０２に進む。
ステップ１０２において、回転リール40の回転が開始する。そして、次のステップ１０３に進む。
【００７４】
ステップ１０３において、ストップスイッチ34が操作されることにより、ストップスイッチ34がＯＮとなる。そして、次のステップ１０４に進む。
ステップ１０４において、回転リール40の回転停止処理が行われる。そして、次のステップ１０５に進む。
ステップ１０５において、３個の回転リール40に対応するストップスイッチ34の操作が行われたか否かが判定される。そして、３個の回転リール40に対応するストップスイッチ34の操作が行われたと判定された場合、次のステップ１０６に進む。
ステップ１０６において、入賞判定手段120により、当選フラグ成立中に当該当選フラグに対応する当選図柄が入賞有効ライン上に揃ったか否か、すなわち、入賞したか否かが判定される。そして、入賞したと判定された場合、次のステップ１０７に進む。
【００７５】
ステップ１０７において、当選図柄に相当するメダルが払い出される。そして、遊技が終了する。
前記ステップ１０５において、３個の回転リール40に対応するストップスイッチ34の操作が行われていないと判定された場合、ステップ１０３に戻る。
前記ステップ１０６において、入賞していないと判定された場合、ステップ１０７を飛び越して、遊技が終了する。
上述したステップ１０１の抽選処理について、図５のフローチャートを用いて説明する。
【００７６】
ステップ２００において、役抽選手段110の乱数発生手段111により発生された乱数の中から乱数抽出手段112により乱数が抽出される。そして、次のステップ２０１に進む。
ステップ２０１において、抽出された乱数が乱数抽出手段112の内部に記憶される。そして、次のステップ２０２に進む。
ステップ２０２において、判定手段114により、抽出された乱数と、当選判定テーブル113の当選判定領域データとの比較が行われる。そして、次のステップ２０３に進む。
ステップ２０３において、判定手段114により、抽出された乱数が、当選判定テーブル113のどの当選領域に含まれるか決定され、抽選処理の評価が決定される。そして、次のステップ２０４に進む。
【００７７】
ステップ２０４において、所定の図柄の蹴飛ばしと、所定図柄の引き込みとが設定される。そして、抽選処理が終了する。
上述したステップ１０４の回転リール40の回転停止処理について、図６を用いて説明する。
ステップ３００において、所定の図柄に対して、蹴飛ばしの設定が達成されたか否かが判定される。そして、所定の図柄の蹴飛ばしの設定が達成されていないと判定された場合、次のステップ３０１に進む。
ステップ３０１において、１個の図柄分だけ、回転リール40を回転させる。すなわち、１個の図柄分だけ蹴飛ばしを行う。そして、次のステップ３０２に進む。
【００７８】
ステップ３０２において、上述した１個の図柄分だけ回転リール40を回転させた当該図柄の数がストップスイッチ34の操作後の４個目に該当するか否かが判定される。そして、ストップスイッチ34を操作した後、１図柄ずつ回転リール40を回転させてずらした図柄の数が４個目の場合には、次のステップ３０３に進む。
ステップ３０３において、回転リール40の回転を停止させる。これにより、メダル投入から回転リール40の回転停止までのスロットマシン10の動作が終了する。
前記ステップ３００において、所定の図柄の蹴飛ばしの設定が達成されていると判定された場合、次のステップ３０４に進む。
【００７９】
ステップ３０４において、いずれかの図柄に対して引き込みが設定されているか否かが判定される。そして、いずれかの図柄に対して引き込みが設定されていると判定された場合、次のステップ３０５に進む。
ステップ３０５において、引き込み設定が達成されたか否かが判定される。そして、引き込み設定が達成されたと判定された場合、次のステップ３０３に進む。
前記ステップ３０４において、いずれの図柄に対しても引き込みが設定されていないと判定された場合、ステップ３０３に進む。
前記ステップ３０５において、引き込み設定が達成されていないと判定された場合、ステップ３０１に進む。
【００８０】
前記ステップ３０２において、ストップスイッチ34を操作した後、１図柄ずつ回転リール40を回転させてずらした図柄の数が４個目でない場合には、ステップ３００に戻る。
なお、上述した実施の形態において、回転リール40の停止処理に関してステップ３０１〜ステップ３０５で説明しているが、この例は、いわゆる最小引き込み停止制御の例であり、逆に最大引き込み停止制御としても良い。更には、例えば、ストップスイッチ34を押すタイミングで予め定めたテーブルに従って回転リール40の停止位置を決定する、いわゆるテーブル停止制御の方法によるものでも良いものである。このテーブル停止制御は、当選フラグ成立の有無や、当選フラグ成立中の当選図柄に基づいた複数のテーブルを有し、この複数のテーブルから適宜、遊技状況に応じたテーブルが選択されるものである。
【００８１】
なお、テーブル停止制御においても、当選フラグが成立しているときには、その当選フラグに対応する図柄が入賞有効ライン上に揃うように、予めテーブルの上で停止位置が決定されてあり、いわゆる引き込み設定の一種を備えているものである。また、当選フラグが成立していないときには、他の当選図柄が入賞有効ライン上に揃わないように、予めテーブルの上で停止位置が決定されてあり、いわゆる蹴飛ばし設定の一種を備えているものである。
次に、図７に示すフローチャートに基づいて、エラー検出から復帰までについて説明する。
【００８２】
ステップ４００において、エラー検出手段151によりエラーが検出されると、ステップ４０１に進む。
ステップ４０１において、エラー処理手段152により、所定のエラー処理が行われて、遊技の進行が不可能な状態にされる。そして、ステップ４０２に進む。
ステップ４０２において、エラー発生間隔計測手段153により、前回のエラー発生から今回のエラー発生までの時間、つまり、エラー発生間隔が計測される。そして、ステップ４０３に進む。
ステップ４０３において、エラー発生間隔判定手段154により、エラー発生間隔が一定時間以上であるか否かの判定が行われる。ここで、エラー発生間隔が一定時間以上であると判定されると、ステップ４０４に進む。一方、エラー発生間隔が一定時間以上ではないと判定されると、つまり、エラー発生間隔が一定時間未満であると判定されると、ステップ４０７に進む。
【００８３】
ステップ４０４において、手動復帰手段155により、エラーが検出されなくなったか否かの判断、つまり、エラーが解消したか否かの判断が行われる。ここで、エラーが検出されなくなったと判断されると、つまり、エラーが解消したと判断されると、ステップ４０５に進む。一方、エラーが検出されたままであると判断されると、つまり、エラーが解消していないと判断されると、再度ステップ４０４となる。
ステップ４０５において、手動復帰手段155により、所定の復帰操作が行われたか否かの判断が行われる。ここで、所定の復帰操作が行われたと判断されると、ステップ４０６に進む。一方、所定の復帰操作が行われていないと判断されると、ステップ４０４に戻る。
【００８４】
ステップ４０６において、手動復帰手段155により、エラー処理が終了させられて、遊技の進行が可能な状態に復帰させられる。そして、復帰までの処理は終了する。
ステップ４０７において、自動復帰手段156により、エラーが検出されなくなったか否かの判断、つまり、エラーが解消したか否かの判断が行われる。ここで、エラーが検出されなくなったと判断されると、つまり、エラーが解消したと判断されると、ステップ４０８に進む。一方、エラーが検出されたままであると判断されると、つまり、エラーが解消していないと判断されると、再度ステップ４０７となる。
ステップ４０８において、自動復帰手段156により、エラー処理が終了させられて、遊技の進行が可能な状態に復帰させられる。そして、復帰までの処理は終了する。
【００８５】
以上説明したように、本実施の形態では、エラー発生間隔が一定時間以上のときには、エラー発生回数にかかわらず、エラーさえ解消されれば、所定の復帰操作を要することなく、エラー処理が終了して遊技進行可能な状態に復帰するものの、エラー発生間隔が一定時間未満のときには、エラー発生回数にかかわらず、たとえエラーが解消されたとしても、所定の復帰操作がなければ、エラー処理が終了して遊技進行可能な状態に復帰することはない。このため、エラーに遭遇した遊技者がなるべく煩わしい思いをしないようにしつつも、不正行為に対しては十分な抑止効果を発揮させることができるのである。
【図面の簡単な説明】
【００８６】
【図１】本発明の実施の形態に係る遊技機のブロック図。
【図２】本発明の実施の形態に係る遊技機の外観正面図。
【図３】本発明の実施の形態に係る遊技機のメダルセレクターの斜視図（Ａ）および正面図（Ｂ）。
【図４】本発明の実施の形態に係る遊技機の動作の概略を示すフローチャート。
【図５】本発明の実施の形態に係る遊技機の動作の概略を示すフローチャート。
【図６】本発明の実施の形態に係る遊技機の動作の概略を示すフローチャート。
【図７】本発明の実施の形態に係る遊技機の動作の概略を示すフローチャート。
【符号の説明】
【００８７】
10  スロットマシン                     11  筐体
12  前扉                               13  上パネル
14  下パネル                           15  図柄表示窓
16  操作部                             20  制御装置
21  遊技制御装置                       22  演出制御装置
31  メダルセレクター                   31a ベース
31b カバー                             31c メダル受入口
31d メダル排出口                       31e メダル通路
31f 鉛直通路                           31g 傾斜通路
31h キャンセル口                       31i 上側ガイド
31j 弾出突起                           31k キャンセルボタン
31l メダルセンサー                     32  ベットスイッチ
32a シングルベットスイッチ             32b マックスベットスイッチ
33  スタートスイッチ                   34  ストップスイッチ
35  精算スイッチ                       36  メダル投入口
37  メダル払出口                       38  メダル受け皿
40  リールユニット                     45  回転リール
46  左リール                           47  中リール
48  右リール                           50  ホッパーユニット
55  表示装置                           56  クレジット数表示器
60  遊技制御手段                       70  通常遊技制御手段
80  特別遊技制御手段                   90  特定導入遊技制御手段
100  特定遊技制御手段                  110  役抽選手段
111  乱数発生手段                      112  乱数抽出手段
113  当選判定テーブル                  114  判定手段
120  入賞判定手段                      130  停止制御手段
140  払出制御手段                      151  エラー検出手段
152  エラー処理手段                    153  エラー発生間隔計測手段
154  エラー発生間隔判定手段            155  手動復帰手段
156  自動復帰手段
【図１】
0005140365.tif 000002
【図２】
0005140365.tif 000003
【図３】
0005140365.tif 000004
【図４】
0005140365.tif 000005
【図５】
0005140365.tif 000006
【図６】
0005140365.tif 000007
【図７】
0005140365.tif 000008